(57)【特許請求の範囲】
【請求項１】
第１の部材と当該第１の部材と対向し当該第１の部材に対して上方に位置する第２の部材とを有し、手を挿入することが想定された第１の開口部と当該第１の開口部の反対側に当該第１の開口部と対向して位置する第２の開口部とを備えた空間を形成する空間形成部と、
前記空間内の前記第２の開口部側に位置し前記第１の開口部から挿入された手が前記空間内で所定の位置に配置されたこと検知する手検知部と、
前記所定位置に配置された手のひらに消毒液を噴射し、前記消毒液の噴射口が前記第１の部材に設けられた消毒液噴射部と、
前記手検知部に対して前記第１の開口部側に配置され、前記所定位置に配置された手の甲の検温を行い、前記第２の部材に設けられた検温部と、
各部の動作を制御する制御部と、
を備え、
前記制御部は、前記手検知部が前記所定の位置に手が配置されたことを検知した後に前記検温部で手の甲の検温を行い、その後、前記消毒液噴射部から前記消毒液を噴射する制御を行い、
前記噴射口から前記消毒液を噴射すると前記第２の部材に当たることで人の顔にかからないように構成されている
検温消毒装置。
【請求項２】
前記制御部は、前記検温部で検温した値が一定条件を満たしている場合に前記消毒液噴射部から前記消毒液を噴射する制御を行う、請求項１記載の検温消毒装置。
【請求項３】
所定の報知を行う報知部をさらに備え、
前記制御部は、前記検温部で検温した値が一定条件を満たしたか否かの情報を前記報知部から報知する制御を行う、請求項１又は請求項２に記載の検温消毒装置。
【請求項４】
前記空間形成部の前記空間に手を挿入する方向を挿入方向として、前記手検知部は、前記検温部および前記消毒液噴射部よりも前記挿入方向の下手側に配置される、請求項１から請求項３のいずれか１項に記載の検温消毒装置。
【請求項５】
前記空間形成部は前記消毒液噴射部から噴射され消毒を行ったあとの余剰の消毒液が前記空間形成部の外側へ排出される排出構造を有する、請求項１から請求項４のいずれか１項に記載の検温消毒装置。
【請求項６】
前記空間形成部は筒状に設けられる環状部分を有し、
前記環状部分の一部を前記第１の部材、前記環状部分の他の一部を前記第２の部材として、前記第２の部材が前記第１の部材に対して高位に設けられる、請求項１記載の検温消毒装置。
【請求項７】
前記空間形成部の前記空間に手を挿入する方向を挿入方向として、前記環状部分の筒の延在方向は前記挿入方向の下手側に向けて斜め下方である、請求項６記載の検温消毒装置。
【請求項８】
床に配置可能であって上下方向に延在する支柱と、
前記支柱の内部に設けられ、前記消毒液を収容するタンクと、
前記支柱の内部に設けられ、前記タンクから前記消毒液噴射部へ前記消毒液を供給するポンプと、
をさらに備え、
前記空間形成部は前記支柱の上端に配置される、請求項１から請求項７のいずれか１項に記載の検温消毒装置。
【発明の詳細な説明】
【技術分野】
【０００１】
本発明は、検温とともに手の消毒を行うことができる検温消毒装置に関するものである。
【背景技術】
【０００２】
防疫や衛生上の観点から、施設・店舗などの建物の入口や入室前には、手の消毒とともに検温を行うことが多い。特許文献１には、手を挿入できる広さを有する収納部に、手を一度挿入する動作により、手を挿入したことを感知するセンサーが手を感知して手に送風して乾燥させるブロワーの作動と、消毒液を噴霧して消毒することをあわせて行えるような手消毒乾燥装置が開示される。
【０００３】
また、特許文献２には、箱様筐体が、ユーザの手が消毒のために差し入れられる２つの開口部を持ち、手で接触することなく作動する噴霧ノズルによる消毒液自動噴霧機能を備える自動手洗装置が開示される。この自動手洗装置では、噴霧ノズルからの消毒液の噴射が正しい場所、すなわち、指先、指および手のひら部分に正確に向けられ、開口部が卵型で縦長の楕円形であり、手を消毒中に正しい位置に促すよう実質的に均等に成形された凹部を含む構成になっている。
【０００４】
特許文献３には、歩行者の手指に消毒液を供給する手指消毒器であって、上面と前面および後面とがそれぞれ開口して延在し、歩行者の手の通過を許容する雨樋状の本体部と、本体部の開口の近傍に設けられ、開口から本体部の消毒空間に侵入した手指を検出するセンサと、センサより歩行者の進行方向の前方側の本体部の側板部の内面に設けられ、センサの検出に応じて消毒液を噴射する噴射ノズルと、消毒液を噴射ノズルから噴射させるポンプと、を備える手指消毒器が開示される。
【先行技術文献】
【特許文献】
【０００５】
【特許文献１】特開２０１１−０３１０１１号公報
【特許文献２】特表２０１２−５０１６８６号公報
【特許文献３】特開２０２０−０２５７７１号公報
【発明の概要】
【発明が解決しようとする課題】
【０００６】
建物や部屋に入ろうとする人に対して検温を行う場合、担当者が手持ちの温度測定器によって１人ずつ体温を測定したり、赤外線画像を取り込むことで人の体温を測定したりすることが行われる。また、手の消毒については、手動ポンプ式では手でポンプを作動させて消毒液を噴霧したり、電動ポンプ式では手をノズルの下にかざすことで消毒液を自動的に噴射したりすることが行われる。このような検温と手の消毒との両方を行う作業については、なるべく人員や時間をかけずに円滑に行うことが望まれる。
【０００７】
本発明は、検温および手の消毒の両方を自動的かつ円滑に行うことができる検温消毒装置を提供することを目的とする。
【課題を解決するための手段】
【０００８】
本発明は、第１の部材と当該第１の部材と対向し当該第１の部材に対して上方に位置する第２の部材とを有し、手を挿入することが想定された第１の開口部と当該第１の開口部の反対側に当該第１の開口部と対向して位置する第２の開口部とを備えた空間を形成する空間形成部と、前記空間内の前記第２の開口部側に位置し前記第１の開口部から挿入された手が前記空間内で所定の位置に配置されたこと検知する手検知部と、前記所定位置に配置された手のひらに消毒液を噴射し、前記消毒液の噴射口が前記第１の部材に設けられた消毒液噴射部と、前記手検知部に対して前記第１の開口部側に配置され、前記所定位置に配置された手の甲の検温を行い、前記第２の部材に設けられた検温部と、各部の動作を制御する制御部と、を備え、前記制御部は、前記手検知部が前記所定の位置に手が配置されたことを検知した後に前記検温部で手の甲の検温を行い、その後、前記消毒液噴射部から前記消毒液を噴射する制御を行い、前記噴射口から前記消毒液を噴射すると前記第２の部材に当たることで人の顔にかからないように構成されている検温消毒装置である。
【０００９】
好適には、前記制御部は、前記検温部で検温した値が一定条件を満たしている場合に前記消毒液噴射部から前記消毒液を噴射する制御を行う。
【００１０】
好適には、所定の報知を行う報知部をさらに備え、前記制御部は、前記検温部で検温した値が一定条件を満たしたか否かの情報を前記報知部から報知する制御を行う。
【００１１】
好適には、前記空間形成部の前記空間に手を挿入する方向を挿入方向として、前記手検知部は、前記検温部および前記消毒液噴射部よりも前記挿入方向の下手側に配置される。
【００１２】
好適には、前記空間形成部は前記消毒液噴射部から噴射され消毒を行ったあとの余剰の消毒液が前記空間形成部の外側へ排出される排出構造を有する。
【００１３】
好適には、前記空間形成部は筒状に設けられる環状部分を有し、前記環状部分の一部を前記第１部分、前記環状部分の他の一部を前記第２部分として、前記第２部分が前記第１部分に対して高位に設けられる。
【００１４】
好適には、前記空間形成部の前記空間に手を挿入する方向を挿入方向として、前記環状部分の筒の延在方向は前記挿入方向の下手側に向けて斜め下方である。
【００１５】
床に配置可能であって上下方向に延在する支柱と、前記支柱の内部に設けられ、前記消毒液を収容するタンクと、前記支柱の内部に設けられ、前記タンクから前記消毒液噴射部へ前記消毒液を供給するポンプと、をさらに備え、前記空間形成部は前記支柱の上端に配置される検温消毒装置。
【００１６】
上記検温消毒装置において、手検知部は検温部と一体型であってもよい。これにより、手検知部と検温部とが一つの構成で済むことになる。
【００１７】
上記検温消毒装置において、空間形成部は、消毒液噴射部の消毒液の噴射口が設けられる第１部分と、第１部分と対向する第２部分とを有し、第１部分に設けられた噴射口から消毒液を噴射すると第２部分に当たることで人の顔にかからないように構成されることが好ましい。これにより、消毒液は第１部分側から第２部分側に向けて噴射され、空間形成部の外に消毒液が噴射されず、人の顔にかかるこることがなくなる。
【００１８】
上記検温消毒装置において、空間形成部は筒状に設けられる環状部分を有し、環状部分の一部を第１部分、環状部分の他の一部を第２部分として、第２部分が第１部分に対して高位に設けられることが好ましい。これにより、消毒液を第１部分側（下側）から第２部分側（上側）に向けて噴射しても空間形成部の外には噴射されることがなくなる。
【００１９】
上記検温消毒装置において、空間形成部の空間に手を挿入する方向を挿入方向として、環状部分の筒の延在方向は挿入入方向の下手側に向けて斜め下方であることが好ましい。これにより、噴射後の余剰の消毒液が環状部分から挿入方向の下手側に流れ、内部に溜まることが抑制される。
【００２０】
上記検温消毒装置において、床に配置可能であって上下方向に延在する支柱と、支柱の内部に設けられ、消毒液を収容するタンクと、支柱の内部に設けられ、タンクから消毒液噴射部へ消毒液を供給するポンプと、をさらに備え、空間形成部が記支柱の上端に配置される構成であってもよい。これにより、支柱内にタンクおよびポンプを収容して、人が立っている際の手の高さに合わせて検温および消毒の機構を配置しやすくなる。
【発明の効果】
【００２１】
本発明によれば、検温および手の消毒の両方を自動的かつ円滑に行うことができる検温消毒装置を提供することが可能となる。
【図面の簡単な説明】
【００２２】
【図１】図１は、第１実施形態に係る検温消毒装置を例示する斜視図である。
【図２】図２は、第１実施形態に係る検温消毒装置を例示する断面図である。
【図３】図３は、第１実施形態に係る検温消毒装置の構成を例示するブロック図である。
【図４】図４は、第１実施形態に係る検温消毒装置の動作を例示するフローチャートである。
【図５】図５は、第１実施形態に係る検温消毒装置の使用状態の例を示す模式図である。
【図６】図６は、第２実施形態に係る検温消毒装置を例示する断面図である。
【図７】図７は、空間形成部の他の例を示す模式図である。
【図８】図８は、空間形成部の他の例を示す模式図である。
【図９】図９は、空間形成部の他の例を示す模式図である。
【図１０】図１０は、空間形成部の他の例を示す模式図である。
【図１１】図１１は、空間形成部の他の例を示す模式図である。
【発明を実施するための形態】
【００２３】
以下、本発明の実施形態を図面に基づいて説明する。なお、以下の説明では、同一の部材には同一の符号を付し、一度説明した部材については適宜その説明を省略する。
【００２４】
（第１実施形態）
図１は、第１実施形態に係る検温消毒装置を例示する斜視図である。
図２は、第１実施形態に係る検温消毒装置を例示する断面図である。
図３は、第１実施形態に係る検温消毒装置の構成を例示するブロック図である。
本実施形態に係る検温消毒装置１は、所定位置に手を挿入することで検温と消毒とを自動的に行う装置である。検温消毒装置１は、手Ｈを位置させる空間１０ａを形成する空間形成部１０と、手Ｈを検知する手検知部２０と、手Ｈの検温を行う検温部３０と、手Ｈのひらに消毒液を噴射する消毒液噴射部４０と、各部の動作を制御する制御部５０と、を備える。
【００２５】
空間形成部１０は筒状に設けられる環状部分１１０を有する。環状部分１１０は手Ｈを挿入可能な開口を有している。開口のサイズは空間形成部１０の空間１０ａに手Ｈを挿入しても空間形成部１０の内側に接触しない程度（空間１０ａの中央辺りに手Ｈを載置しても空間形成部１０に接触しない程度）の大きさである。空間形成部１０は、大人の手Ｈは挿入できても、子供の頭は挿入できないサイズや形状になっている。例えば、開口のサイズは横約１５センチメートル（ｃｍ）以上、約２５ｃｍ以下程度、好ましくは２０ｃｍ前後、縦約１０ｃｍ以上、約２０ｃｍ以下程度、好ましくは１３ｃｍ前後である。
【００２６】
本実施形態では、環状部分１１０は長円形状の開口を有する筒型になっており、筒型の延在方向を手Ｈの挿入方向に合わせて配置されている。本実施形態では、手Ｈの挿入方向は、挿入方向の下手側が水平に対して僅かに下がる方向となっている。傾斜の角度は、水平に対して約５度以上、４５度以下程度、好ましくは１５度程度である。これにより、空間形成部１０の空間１０ａに手Ｈを自然に挿入できるようになる。また、空間形成部１０内に噴射された消毒液が空間形成部１０内に留まらず、傾斜の下方へ流れやすくなる。
【００２７】
環状部分１１０は、環状部分１１０の一部である第１部分１１１と、他の一部である第２部分１１２とを有する。第１部分１１１は環状部分１１０の下側の部分であり、第２部分１１２は第１部分１１１と対向する上側（第１部分１１１に対して高位）の部分である。空間形成部１０は、例えば支柱２の上端に配置される。支柱２は床に設置可能であって上下方向に延在する。
【００２８】
手検知部２０は空間形成部１０に設けられ、空間形成部１０の空間１０ａの所定位置に手Ｈが配置されたことを検知する。手検知部２０には、例えば赤外線センサや光学センサが用いられる。ここで、手Ｈの所定位置とは、空間１０ａ内で手Ｈを検温および消毒することが可能な位置のことをいう。手検知部２０は、例えば環状部分１１０の第２部分１１２における手Ｈの挿入方向の下手側に配置され、手Ｈの指辺りを検知するように設けられているとよい。これにより、手Ｈを空間形成部１０の空間１０ａの奥まで挿入したことを検知しやすくなる。
【００２９】
検温部３０は空間形成部１０に設けられ、空間形成部１０の空間１０ａの所定位置に配置された手Ｈの検温を行う。手検知部２０には、例えば赤外線センサが用いられる。検温部３０は、例えば環状部分１１０の第２部分１１２における手Ｈの挿入方向の上手側に配置され、少なくとも手Ｈの甲辺りを検温するように設けられている。
【００３０】
ここで、本実施形態では手検知部２０および検温部３０を別体で設けているが、これらを一体型（１つのセンサによる共用や、１つのセンサモジュールによる共用）にしてもよい。これにより、手検知部と検温部とが一つの構成で済むことになる。
【００３１】
消毒液噴射部４０は空間形成部１０に設けられ、空間形成部１０の空間１０ａの所定位置に配置された手Ｈのひらに消毒液を噴射する。消毒液噴射部４０は、例えば環状部分１１０の第１部分１１１に配置される。第１実施形態では消毒液噴射部４０の噴射口４０ａが第１部分１１１に２つ設けられている。噴射口４０ａから噴射する消毒液は手Ｈのひらの広い範囲に吹き付けられる。
【００３２】
支柱２には消毒液を収容するタンク８０と、タンク８０から消毒液噴射部４０へ消毒液を供給するポンプ７０とが設けられる。支柱２の中にタンク８０およびポンプ７０が設けられることで、検温消毒装置１の意匠性が高められる。
【００３３】
制御部５０は、例えば支柱２の内部に設けられる。制御部５０は、手検知部２０で手Ｈを検知した後、所定のタイミングで検温部３０での手Ｈの検温と、消毒液噴射部４０からの層毒液の噴射とを制御する。例えば、制御部５０は、手検知部２０で手Ｈを検知した後、検温部３０で手の検温を行い、その後、ポンプ７０に指示を与えてタンク８０から消毒液噴射部４０へ消毒液を供給し、噴射口４０ａから消毒液を噴射する制御を行う。制御部５０によって、手Ｈの検温を行った後に消毒液を噴射するようにタイミングを制御することで、消毒液の噴射による検温への影響が抑制される。
【００３４】
検温消毒装置１には報知部６０が設けられていてもよい。報知部６０は、例えば空間形成部１０に設けられる。報知部６０は、光、音、文字（数字）等の表示によって報知を行う。例えば、制御部５０は、検温部３０で検温した値が一定条件を満たしたか否かの情報を報知部６０から報知する制御を行うようにしてもよい。一例として、環状部分１１０の開口部分を縁取るように報知部６０が設けられており、検温の値が一定値（例えば、３７．５℃）を越えた場合には報知部６０が赤色に光り、一定値以下の場合には報知部６０が緑色に光るようになっている。検温の値が一定値を越えた場合には報知部６０が赤色に光るとともに警告音を発するようにしてもよい。報知部６０は表示装置（液晶表示装置など）を有していてもよく、表示装置に検温の結果（体温の値）を表示してもよい。
【００３５】
なお、検温消毒装置１の各種設定については、携帯端末などのアプリケーションソフトウェアによって行うようにしてもよい。例えば、アプリケーションソフトウェアで報知に関する一定条件（温度閾値）や報知の種類（発光色や音の種類など）、電源のＯＮ／ＯＦＦなどを行い、携帯端末の通信機能を用いて設定を制御部５０に送るようにしてもよい。また、制御部５０は、携帯端末に検温した値や消毒液の残量などの情報を携帯端末に送信し、アプリケーションソフトウェアで表示するようにしてもよい。アプリケーションソフトウェアに報知部６０の機能を持たせてもよい。
【００３６】
（検温消毒装置の動作）
図４は、第１実施形態に係る検温消毒装置の動作を例示するフローチャートである。
先ず、ステップＳ１０１に示すように、手Ｈを検知したか否かの判断を行う。手Ｈの検知は手検知部２０によって行われる。空間形成部１０における空間１０ａの所定位置まで手Ｈを挿入すると、手検知部２０によって手Ｈの検知が行われる。所定位置まで手Ｈが挿入されないと手検知部２０による手Ｈの検知は行われない。これにより、不要な検温や消毒を行うことが回避される。
【００３７】
手検知部２０によって手Ｈを検知した場合、ステップＳ１０２に示すように、手Ｈの検温を行う。検温は、検温部３０によって行われる。
【００３８】
次に、ステップＳ１０３に示すように、制御部５０は、検温部３０による検温の結果が一定条件を満たすか否かの判断を行う。一定条件を満たさなかった場合（ステップＳ１０３でＮｏ）、ステップＳ１０４へ進み、報知部６０から報知（警告）を行う。例えば、検温の結果が予め設定された温度（例えば、３７．５℃）よりも高い場合、報知部６０から報知（警告）を行う。これにより、体温が高い人に対する対応を迅速に行うことができる。
【００３９】
一定条件を満たしている場合（ステップＳ１０３でＹｅｓ）、ステップＳ１０５へ進み、消毒液噴射部４０から手Ｈのひらに向けて消毒液を噴射する。制御部５０は、消毒液噴射部４０から消毒液を噴射している間、時間を計数する。
【００４０】
次に、ステップＳ１０６に示すように、制御部５０は、消毒液噴射部４０から消毒液を噴射している時間が一定時間経過したか否かを判断する。一定時間を経過していなかった場合（ステップＳ１０６でＮｏ）、そのまま消毒液噴射部４０からの消毒液の噴射を継続する。一定時間を経過した場合（ステップＳ１０６でＹｅｓ）、ステップＳ１０７に示すように消毒液の噴射を停止する。その後、ステップＳ１０８に示すように報知部６０から報知（完了）を行う。
【００４１】
次に、ステップＳ１０９に示すように、処理終了か否かの判断を行い、終了しない場合（ステップＳ１０９でＮｏ）、ステップＳ１０１へ戻り、以降の処理を繰り返す。一方、終了する場合（ステップＳ１０９でＹｅｓ）、処理を終了する。
【００４２】
このような検温消毒装置１によって、空間形成部１０の空間１０ａに手Ｈを位置させることで検温部３０による手Ｈの検温と、消毒液噴射部４０から手Ｈのひらに向けた消毒液を噴射とを行うことができる。これにより、空間形成部１０の空間１０ａに手Ｈを入れる一度の動作で、検温から消毒までの一連の処理を自動的に行うことができるようになる。なわち、空間形成部１０の空間１０ａ内で検温および消毒を完結させることができる。
【００４３】
また、検温消毒装置１では、空間形成部１０の空間１０ａの所定位置に手Ｈを入れた状態を手検知部２０で検知してから検温および消毒を行うため、手Ｈが空間１０ａに十分に挿入されていない状態で検温および消毒を進めてしまうことがない。したがって、手Ｈの検温位置を安定化させて検温の精度を高めることができる。また、手Ｈのひらに対して十分な消毒液をかけることができ、消毒の確実性を高めることができる。
【００４４】
消毒液を噴射する際、手Ｈが環状部分１１０に挿入されており、しかも環状部分１１０の第２部分１１２によって上方がカバーされるため、消毒液が空間形成部１０の外側に漏れる（吹き出す）ことはない。したがって、消毒液が第１部分１１１から上方に噴射されても手Ｈや第２部分１１２に当たり、人の顔にかかることはない。
【００４５】
また、制御部５０は、検温部３０で検温した値が一定条件を満たしている場合に消毒液噴射部４０から消毒液を噴射する制御を行うため、検温で一定条件を満たしていない場合には消毒を行わずに報知（警告）を行うなど、検温結果に対する対応を迅速に進めることができる。
【００４６】
また、検温消毒装置１において、消毒液噴射部４０は環状部分１１０の第１部分１１１に設けられ、下側から上側の手Ｈのひらに向けて消毒液を噴射する。このため、手Ｈのひらを下側に向けた自然な姿勢で消毒液が手Ｈのひらにかけられることになる。一方、手検知部２０および検温部３０は環状部分１１０の第２部分１１２に設けられる。すなわち、手検知部２０および検温部３０が上側に配置されるため、余剰の消毒液が手検知部２０や検温部３０に付着しにくく、消毒液による手検知部２０および検温部３０への影響を抑制することができる。
【００４７】
ここで、空間形成部１０は消毒液噴射部４０から噴射され消毒を行ったあとの余剰の消毒液が空間形成部１０の外側へ排出される排出構造を有することが好ましい。排出構造としては、噴射口４０ａがその周囲に対して高く設けられている構造（例えば、第１部分１１１を僅かに隆起させた部分に噴射口４０ａを設ける構造）や、環状部分１１０の第１部分１１１が傾斜している構造が挙げられる。これにより、噴射後の余剰の消毒液が空間形成部１０の内側に溜まることが抑制される。
【００４８】
（使用状態の例）
図５は、第１実施形態に係る検温消毒装置の使用状態の例を示す模式図である。
検温消毒装置１は、支柱２によって空間形成部１０の高さが設定される。図５に示す例では、立っている使用者が手Ｈを自然に空間形成部１０の空間１０ａに挿入することができる高さに設定される。また、空間形成部１０の環状部分１１０は、手Ｈの挿入方向の下手側に下がるように傾斜している。したがって、腕を上げず、手首をあまり曲げることなく自然に手Ｈを空間１０ａに挿入することができる。
【００４９】
手Ｈを空間１０ａに挿入して手検知部２０により手Ｈが所定位置まで挿入されたことを検知すると、検温部３０によって手Ｈの検温を行い、検温後に連続して消毒液噴射部４０から消毒液を手Ｈのひらに噴射して消毒を行う。これにより、空間形成部１０の空間１０ａに手Ｈを挿入するだけで、検温から消毒までの一連の処理を行うことができる。
【００５０】
（第２実施形態）
図６は、第２実施形態に係る検温消毒装置を例示する断面図である。
第２実施形態に係る検温消毒装置１Ｂは、複数の検温部３０を備えた構成である。複数の検温部３０の例として、第１検温部３１および第２検温部３２は環状部分１１０の第２部分１１２に設けられ、第３検温部３３は環状部分１１０の第１部分１１１に設けられる。第１検温部３１および第２検温部３２は手Ｈの甲を検温し、第３検温部３３は手Ｈのひらを検温する。
【００５１】
複数の検温部３０はいずれも環状部分１１０の手Ｈの挿入方向の上手側（手検知部２０および消毒液噴射部４０よりも挿入方向の上手側）に配置される。これにより、手Ｈが空間１０ａの奥まで挿入された状態で手Ｈの甲およびひらの部分を適切に検温することができる。
【００５２】
制御部５０は、複数の検温部３０による検温の結果から体温とみなす値を推定する。すなわち、手Ｈの甲を検温した第１検温部３１および第２検温部３２の値と、手Ｈのひらを検温した第３検温部３３の値とのそれぞれを引数として所定の演算式を用いて体温を推定する。推定した体温の値が一定条件を満たすか否かによって、消毒液の噴出や報知部６０による報知を制御する。
【００５３】
第２実施形態に係る検温消毒装置１Ｂによれば、複数の検温部３０による手Ｈの甲およびひらの検温によって高精度に体温を推定することができ、推定した体温に基づき適切な消毒を行うことができる。
例えば、複数の検温部３０が検出した体温のうち最も高い体温の値が一定条件を満たすか否かによって、消毒液の噴出や報知部６０による報知を制御する。
【００５４】
（空間形成部の他の例）
図７から図１１は、空間形成部の他の例を示す模式図である。
以下に説明する空間形成部１０の例は、上記説明した第１実施形態に係る検温消毒装置１および第２実施形態に係る検温消毒装置１Ｂのいずれにも適用可能である。
【００５５】
図７に示す空間形成部１０は、円筒型の環状部分１１０を有している。使用者は手Ｈを環状部分１１０に挿入することで、検温および消毒を行うことができる。図７に示す環状部分１１０では開口が略円形になることから、手Ｈを挿入しやすい。また、環状部分１１０に手Ｈを入れて消毒する際、手Ｈの表裏を返しやすいため、手Ｈのひらや手Ｈの甲に万遍なく消毒液を吹き付けることができる。
【００５６】
図８に示す空間形成部１０は、アーチ型の囲い部１２０と、囲い部１２０の下に配置される本体部１３０とを有している。囲い部１２０は２つの支柱２から延在するように一体に設けられており、意匠性が高められている。本体部１３０には消毒液噴射部４０の噴射口４０ａが設けられる。また、本体部１３０には手形を模したガイドマークＭが設けられている。使用者は手ＨをこのガイドマークＭに合わせて配置することで、検温および消毒を行うことができる。本体部１３０が傾斜していることで、噴射された消毒液が跳ね返って本体部１３０の表面に付着しても流れ落ちることになる。
【００５７】
図９に示す空間形成部１０は、屋根部１４０と、屋根部１４０の下に配置される本体部１３０とを有している。本体部１３０は支柱２の上方に支柱２と一体に設けられる。本体部１３０には消毒液噴射部４０の噴射口４０ａが設けられる。使用者は手Ｈを本体部１３０の上に配置することで、検温および消毒を行うことができる。本体部１３０が傾斜していることで、噴射された消毒液が跳ね返って本体部１３０の表面に付着しても流れ落ちることになる。
【００５８】
図１０に示す空間形成部１０は、屋根部１５０と、屋根部１５０の下に配置される本体部１３０とを有している。本体部１３０は支柱２の上方に支柱２と一体に設けられる。本体部１３０には消毒液噴射部４０の噴射口４０ａが設けられる。使用者は手Ｈを本体部１３０の上に配置することで、検温および消毒を行うことができる。本体部１３０が傾斜していることで、噴射された消毒液が跳ね返って本体部１３０の表面に付着しても流れ落ちることになる。
【００５９】
図１１に示す空間形成部１０は、Ｕ字型のガイド部１６０を有している。Ｕ字型のガイド部１６０では前後方向および上方が開口している。ガイド部１６０の一方側の立設部１６１には消毒液噴射部４０の噴射口４０ａが設けられ、他方側の立設部１６２には手検知部２０および検温部３０が設けられる。使用者は手ＨをＵ字型のガイド部１６０に挿入することで、検温および消毒を行うことができる。ガイド部１６０におけるＵ字型の底の部分に傾斜を設けてもよい。これにより、噴射された消毒液が跳ね返ってガイド部１６０の底に付着しても流れ落ちることになる。Ｕ字型のガイド部１６０では前後および上方に開口が設けられるため、使用者が手Ｈを入れやすいとともに、検温および消毒が終了した後に手Ｈを抜きやすい。
【００６０】
以上説明したように、実施形態に係る検温消毒装置１によれば、検温および手の消毒の両方を自動的かつ円滑に行うことができる可能となる。
【００６１】
なお、上記に本実施形態およびその適用例を説明したが、本発明はこれらの例に限定されるものではない。例えば、前述の各実施形態またはその適用例に対して、当業者が適宜、構成要素の追加、削除、設計変更を行ったものや、各実施形態の特徴を適宜組み合わせたものも、本発明の要旨を備えている限り、本発明の範囲に包含される。
【符号の説明】
【００６２】
１…検温消毒装置，１Ｂ…検温消毒装置，２…支柱，１０…空間形成部，１０ａ…空間，２０…手検知部，３０…検温部，３１…第１検温部，３２…第２検温部，３３…第３検温部，４０…消毒液噴射部，４０ａ…噴射口，５０…制御部，６０…報知部，７０…ポンプ，８０…タンク，１１０…環状部分，１１１…第１部分，１１２…第２部分，１２０…囲い部，１３０…本体部，１４０…屋根部，１５０…屋根部，１６０…ガイド部，１６１…立設部，１６２…立設部，Ｈ…手，Ｍ…ガイドマーク
【要約】
【課題】検温および手の消毒の両方を自動的かつ円滑に行うことができる検温消毒装置を提供すること。
【解決手段】本発明の一態様は、手Ｈを位置させる空間１０ａを形成する空間形成部１０と、空間形成部１０の空間１０ａの所定位置に手Ｈが配置されたことを検知する手検知部２０と、所定位置に配置された手Ｈの検温を行う検温部３０と、所定位置に配置された手Ｈのひらに消毒液を噴射する消毒液噴射部４０と、各部の動作を制御する制御部５０と、を備え、手検知部２０と、検温部３０と、消毒液噴射部４０とが空間形成部１０に設けられている、検温消毒装置１である。
【選択図】図１【図１】
0006963847.tif 000002
【図２】
0006963847.tif 000003
【図３】
0006963847.tif 000004
【図４】
0006963847.tif 000005
【図５】
0006963847.tif 000006
【図６】
0006963847.tif 000007
【図７】
0006963847.tif 000008
【図８】
0006963847.tif 000009
【図９】
0006963847.tif 000010
【図１０】
0006963847.tif 000011
【図１１】
0006963847.tif 000012